(57)【要約】【課題】  フリッカー測定装置を用いてフリッカー値を求め、その時点における疲労の程度をより客観的に捕らえ、かつ簡易に自身で追跡できるようにするとともに、その原因を探索することができる疲労自己管理システムを提供する。【解決手段】  疲労度の自己管理システムにおいて、フリッカー測定装置を用いて職場での始業前にフリッカー値を求め、その時点における疲労度情報を情報処理装置１１の記憶装置１４，１５に記憶し、その記憶された疲労度を既に記憶されている疲労度と対比して疲労度を前記情報処理装置１１で長期間にわたり把握し、この疲労度の顕著な変化の原因を探索する。【選択図】  図２
2010057650.tif 000002
【特許請求の範囲】
【請求項１】
フリッカー測定装置を用いて職場での始業前にフリッカー値を求め、その時点における疲労度情報を情報処理装置の記憶装置に記憶し、その記憶された疲労度を既に記憶されている疲労度と対比して長期間でその変化をみた時に疲労度の顕著な変化がある場合にはその疲労度の顕著な変化の原因を探索することを特徴とする疲労度の自己管理システム。
【請求項２】
請求項１記載の疲労度の自己管理システムにおいて、前記疲労度が重なり、過労に至る限界値を前記情報処理装置に設定し、該限界値に達すると警告装置により警告を行うことを特徴とする疲労度の自己管理システム。
【請求項３】
請求項１記載の疲労度の自己管理システムにおいて、前記疲労度の変化の原因と見られる項目を前記情報処理装置の表示部に表示することを特徴とする疲労度の自己管理システム。
【発明の詳細な説明】
【技術分野】
【０００１】
本発明は、疲労自己管理システムに係り、特に、フリッカー測定による疲労の蓄積を管理する自己管理システムに関するものである。
【背景技術】
【０００２】
従来、過労を未然に防ぐ目的で、自身で簡単なアンケートや問診票に答えて現在の疲労度、あるいは過労状態にあるか否かをチェックする主観的な方法は多数のものが知られている。
【０００３】
また、疲労度の管理を行う測定装置が提案されている（下記特許文献１参照）。
【０００４】
さらに、本願発明者らによるフリッカー測定装置が疲労判定のツールとして用いられている（下記特許文献２参照）。
【特許文献１】特開２００１−２１８７５６号公報
【特許文献２】特許第３８３６３６３号公報
【発明の開示】
【発明が解決しようとする課題】
【０００５】
しかしながら、過労に至る疲労の長期的な変化を、より客観的、かつ簡易に自身で追跡できるようにするとともに、その原因を探索する疲労自己管理システムは開発されていないのが現状である。
【０００６】
本発明は、上記状況に鑑みて、フリッカー測定装置を用いてフリッカー値を求め、その時点における疲労の程度をより客観的に捕らえ、かつ簡易に自身で追跡できるようにするとともに、その原因を探索することができる疲労自己管理システムを提供することを目的とする。
【課題を解決するための手段】
【０００７】
本発明は、上記目的を達成するために、
〔１〕疲労度の自己管理システムにおいて、フリッカー測定装置を用いて職場での始業前にフリッカー値を求め、その時点における疲労度情報を情報処理装置の記憶装置に記憶し、その記憶された疲労度を既に記憶されている疲労度と対比して長期間でその変化をみた時に疲労度の顕著な変化がある場合にはその疲労度の顕著な変化の原因を探索することを特徴とする。
【０００８】
〔２〕上記〔１〕記載の疲労度の自己管理システムにおいて、前記疲労度が重なり、過労に至る限界値を前記情報処理装置に設定し、この限界値に達すると警告装置により警告を行うことを特徴とする。
【０００９】
〔３〕上記〔１〕記載の疲労度の自己管理システムにおいて、前記疲労度の変化の原因と見られる項目を前記情報処理装置の表示部に表示することを特徴とする。
【発明の効果】
【００１０】
本発明によれば、次のような効果を奏することができる。
【００１１】
（１）本人のフリッカー測定装置によるフリッカー値を基準にし、この臨界融合頻度の長期的な変化を把握し、その顕著な変化がある場合にはその顕著な原因を探索することができる。
【００１２】
（２）フリッカー値の顕著な変動の原因探索により、過労に至ることを回避し、また、疲労が休養で回復しているか否か、疲労の兆候がより深刻度を増していないかを被験者本人が気軽に確認することができる。
【００１３】
（３）休養確保の計画の立案、また、休養による疲労の回復の効果を確認することができる。
【００１４】
（４）過労が深刻化する前に対策を打つ手助けとなる。
【発明を実施するための最良の形態】
【００１５】
本発明の疲労度の自己管理システムは、フリッカー測定装置を用いて職場での始業前にフリッカー値を求め、その時点における疲労度情報を情報処理装置の記憶装置に記憶し、その記憶された疲労度を既に記憶されている疲労度と対比して疲労度の変化を前記情報処理装置で長期間にわたり把握し、その疲労度の顕著な変化がある場合にはこの顕著な変化の原因を探索する。
【実施例】
【００１６】
以下、本発明の実施の形態について詳細に説明する。
【００１７】
図１は本発明の実施例を示すフリッカー測定装置の斜視図、図２はそのフリッカー測定装置の全体構成図である。
【００１８】
これらの図に示すように、固定部（図示なし）に吸盤等（固定器具を用いてもよい）でセットされる基台１上には軸体２を介して発光部本体３とこの発光部本体３から前方へ突出する着脱自在の遮光用筒４を有し、発光部本体３には中心光光源５と中心光周辺の明るさを一定にするための周辺光光源６とを備えている。  更に、７は被験者Ａの位置を測定する位置測定装置であり、被験者Ａの両瞳までの距離を光学的に計測する。また、その位置測定装置７からの情報を得て、被験者Ａの両眼に対する発光部本体３の高さＨと向きθとを自動的に調整する向き・高さ調整装置８とを備えている。
【００１９】
ここで、被験者Ａの向きは、遮光用筒４を介して被験者Ａの両眼の位置を光学式の距離センサ（瞳センサ）で測定して向きθを検出し、その向きθを一定にした状態で被験者Ａの両眼に合わせた発光部本体３の高さＨを求め、発光部本体３の最適な向きと高さの位置に発光部本体３を自動的に設定することができる。つまり、発光部本体３は首振り機能を有し、被験者Ａの顔と中心光を真正面で向き合わせることができる。そのため、被験者Ａが椅子（例えば、模擬した車両の運転席）Ｂへ着席すると、その被験者（運転手）Ａの両眼に適応するように、遮光用筒４を有する発光部本体３の向きと高さの自動調整を行うことができる。
【００２０】
なお、９は着座センサであり、被験者Ａが椅子Ｂに着席すると、それを検知して、このフリッカー測定装置を自動的に駆動することができる。
【００２１】
また、周辺光光源６は４箇所にあるので、中心光の周辺の明るさは均等に保たれる。
【００２２】
また、２４は操作ボタンであり、被験者Ａがスタンバイできたら、その操作ボタン２４を操作することにより、このフリッカー測定装置を手動で駆動するようにすることもできる。
【００２３】
さらに、基台１には表示装置２１を有する情報処理装置（パーソナルコンピュータ）１１が接続されている。この情報処理装置１１は、入力インターフェース１２、ＣＰＵ（中央処理装置）１３、フリッカー測定装置による測定毎の測定値を記憶する第１の記憶装置１４、過去のフリッカー値を累積して記憶する第２の記憶装置１５、出力インターフェース１６を介して接続される表示装置２１と、過労の警告値を記憶する第３の記憶装置１７、出力インターフェース１８に接続される警告装置２２、被験者Ａのリモートスイッチ２３、出力インターフェース１９に接続される操作ボタン２４、第４の記憶装置２５とを備えている。なお、表示装置２１中の表示部２１Ａには、後述するが疲労に顕著な変化が見受けられた場合にその原因となる候補を表示するようにしている。
【００２４】
このように、情報処理装置１１には、フリッカー測定装置により測定されたその度ごとのフリッカー値を記憶する第１の記憶装置１４と過去のフリッカー値を累積して記憶する第２の記憶装置１５とを備えており、それらの記憶装置１４，１５に記憶された情報は、出力インターフェース１６を介して表示装置２１に表示される。つまり、表示装置２１には、フリッカー測定装置による測定時のフリッカー値を迅速に、かつ正確に表示するとともに、過去の測定値と現在の被験者Ａの疲労度とを対比して表示する。その場合、週間単位から月、あるいは数年単位での疲労度の変化を追跡表示する。
【００２５】
図３は本発明の実施例を示す表示装置に表示されるフリッカー値に基づく疲労度の変化を示す図である。
【００２６】
この図において、横軸には経過日時、縦軸には疲労度の変化を示すフリッカー値の変化（％）を示す図である。
【００２７】
ここでの疲労度の変化は特に長期間、１週間（１Ｗ）、２週間（２Ｗ）、一ヵ月（１Ｍ）又は１年にわたり把握して疲労から深刻な過労に推移しないか否かをモニタするようにしている。
【００２８】
また、情報処理装置１１には過労の警告値を記憶する第３の記憶装置１６を備えており、測定値が第３の記憶装置１６の警告値を越えると出力インターフェース１８を介して警告装置２２により警告を行うようにしている。
【００２９】
さらに、フリッカー測定装置によるフリッカー値が低下した場合には、その原因を探索する。被験者Ａは、原因探索ボタンとなる操作ボタン２４を押して、その原因と推定される項目をチェックする。例えば、原因と推定される項目としては、「（１）深夜作業、（２）職場でのトラブル、（３）家庭でのトラブル、（４）深酒、（５）風邪、（５）花粉症、（６）血圧が高い、（７）動悸がする、（８）○〜○時間の残業、（９）○時間以上の残業」といった項目が順次表示装置２１に表示されるので、該当する項目があれば、それを該当項目として記憶装置２４に記憶しておく。
【００３０】
このようにして、フリッカー値が顕著に低下した場合、つまり疲労度が顕著に上昇した場合にはその原因も探索しておく。
【００３１】
また、逆に、フリッカー値が顕著に回復した場合にも、その原因と推定される項目をチェックする。例えば、原因と推定される項目としては、「（１）休日明け、（２）運動による熟睡、（３）悩みごとの解決、（４）予想外の昇給、（５）残業時間の短縮」などが挙げられる。
【００３２】
このようにして、フリッカー値が顕著に回復した場合、つまり疲労度が顕著に低減した場合にもその原因も探索しておく。
【００３３】
このようにすることにより、どのような原因でフリッカー値が低下したかを明確に探索してその原因を除去することにより、過労を未然に防ぐことができる。
【００３４】
また、どのような原因でフリッカー値が回復したかを明確に探索して休養確保の計画などを立案することができる。
【００３５】
このフリッカー測定装置によるフリッカー値の測定は、公共交通機関における運転士の作業前点呼時、データ入力作業前、監視作業前などの職場での始業前に定期的に行うようにする。
【００３６】
図４は本発明の疲労度自己管理システムの動作フローである。
【００３７】
以下、この疲労度自己管理システムの動作フローについて、図３を参照しながら説明する。
【００３８】
（１）職場での始業前にフリッカー測定装置によりフリッカー値の測定を行う（ステップＳ１）。
【００３９】
（２）その測定時点でのフリッカー値を記憶するとともに、長期間にわたる過去の測定時のフリッカー値との変化を見て、表示装置へのグラフ化を行う（ステップＳ２）。
【００４０】
（３）フリッカー値が警告値に達したか否かをチェックする（ステップＳ３）。
【００４１】
（４）フリッカー値が警告値に達した場合には本人に警告を発する（ステップＳ４）。
【００４２】
（５）過去のフリッカー値との顕著な変化があるか否かをチェックする（ステップＳ５）。
【００４３】
（６）過去のフリッカー値との顕著な変化がある場合には、そのフリッカー値の顕著な変化の原因の項目を表示する（ステップＳ６）。
【００４４】
（７）フリッカー値の顕著な変化の原因を探索する（ステップＳ７）。
【００４５】
（８）フリッカー値の顕著な変化の原因を記憶する（ステップＳ８）。
【００４６】
このように、本発明によれば、フリッカー値による疲労度の管理と、その原因の究明により、疲労度が深刻化して過労に陥ることを回避し、自己による疲労度の管理の徹底化を図ることができる。
【００４７】
なお、本発明は上記実施例に限定されるものではなく、本発明の趣旨に基づき種々の変形が可能であり、これらを本発明の範囲から排除するものではない。
【産業上の利用可能性】
【００４８】
本発明の疲労自己管理システムは、フリッカー値に基づく疲労度情報と、その過去の疲労度情報とを対応させて表示することができるとともに、その疲労度情報が顕著な変化を来す場合にはその原因を探索することができる疲労自己管理システムとして利用可能である。
【図面の簡単な説明】
【００４９】
【図１】本発明の実施例を示すフリッカー測定装置の斜視図である。
【図２】本発明の実施例を示すフリッカー測定装置の全体構成図である。
【図３】本発明の実施例を示す表示装置に表示されるフリッカー値に基づく疲労度の変化を示す図である。
【図４】本発明の疲労度自己管理システムの動作フローである。
【符号の説明】
【００５０】
１    基台
２    軸体
３    発光部本体
４    遮光用筒
５    中心光光源
６    周辺光光源
７    位置測定装置
８    向き・高さ調整装置
９    着座センサ
Ａ    被験者
Ｂ    椅子
１１    情報処理装置
１２    入力インターフェース
１３    ＣＰＵ（中央処理装置）
１４    第１の記憶装置
１５    第２の記憶装置
１６，１８，１９    出力インターフェース
１７    第３の記憶装置
２１    表示装置
２２    警告装置
２３    被験者のリモートスイッチ
２４    操作ボタン
２５    第４の記憶装置
【図１】
2010057650.tif 000003
【図２】
2010057650.tif 000004
【図３】
2010057650.tif 000005
【図４】
2010057650.tif 000006